(57)【要約】【課題】  本発明は、天然洗剤を提供しようとするもので、合成界面活性剤を一切使用していない。合成界面活性剤には、次の３つの毒性もっているといわれている。▲１▼「浸透作用」体の脂質分を溶かして皮膚細胞内に次々と侵入していく力をもっていること。▲２▼「界面活性作用」皮膚細胞をはじめ、血管であろうと神経繊維や内蔵細胞であろうと次々に細胞膜を溶かし、細胞内のたんぱく質を変性させてしまう。▲３▼「残留性、非分解性」いつまでも体内に分解されぬまま、次第に蓄積して縦横無尽に体内を駆け巡る。」【解決手段】【請求項１】  沸石焼成粉末体を４０〜８０％の範囲で、天然カルシュウム焼成粉末体を１０〜６０％の範囲で、薬王石焼成粉末体を３〜１０％の範囲で混成すると共に、通水性を有する袋体に封入したことを特徴とする天然洗剤。【選択図】図１
2009024148.tif 000002
【特許請求の範囲】
【請求項１】
沸石焼成粉末体（１）、（１）を４０〜８０％の範囲で、天然カルシュウム焼成粉末体（２）、（２）を１０〜６０％の範囲で、薬王石焼成粉末体（３）、（３）を３〜１０％の範囲で混成すると共に、通水性を有する通水性袋体（５）に封入したことを特徴とする天然洗剤。
【請求項２】
ふすま粉末体（４）、（４）を混成したものである請求項１記載の天然洗剤。
【請求項３】
天然洗剤の製造方法は、次のような製造工程である。
（イ）第一工程
沸石（１）、（１）を天日自然乾燥すると共に、２ｍｍ〜４００メッシュに粉状加工し、かつ、６０〜１０００℃に加熱焼成する工程。
（ロ）第二工程
天然カルシュウム（２）、（２）を天日自然乾燥すると共に、２ｍｍ〜４００メッシュに粉状加工し、かつ、６０〜１０００℃に加熱焼成する工程。
（ハ）第三工程
薬王石（３）、（３）を２ｍｍ〜４００メッシュに粉状加工し、かつ、６０〜１０００℃に加熱焼成する工程。
（ニ）第四工程
第一工程並びに第二工程並びに第三工程で得られた粉末体を、それぞれ４０〜８０％と、１０〜６０％と、３〜１０％の割合で混成し、かつ、通水性袋体（５）に封入する工程からなる。
【発明の詳細な説明】
【技術分野】
【０００１】  本発明は、合成洗剤の使用を一切排除した、天然洗剤及びその製造方法に関する。
【背景技術】
【０００２】  ２１世紀になって地球存亡の危機は、地球温暖化現象ではないかと声高に叫ばれるようになってきた。地球温暖化現象は地球上の至るところで異常気象を発生させ、２０世紀では考えられない自然災害を人類に齎すようになってきた。しかし地球温暖化現象は、たしかに地球存亡の危機の一因ではあってもそれが全てではない。地球存亡の本当の危機は、地球上の水質汚染かもしれないのである。水。水それは地球上にだけ豊潤に存在する物質であり、地球上の全ての生物は、水の恩恵を受けて生きている。水は生命の根源であり、母なる存在なのである。
【発明の開示】
【発明が解決しようとする課題】
【０００３】  地球上の水汚染の元凶は合成洗剤である。合成洗剤は合成界面活性剤といい、主として石油から製造されたものである。この合成界面活性剤は水や油の界面張力や表面張力を失わせて、水と油を互いに交じり合う働きで汚れを落としてしまおうというものである。
しかし合成界面活性剤には、次の３つの毒性もっているといわれている。
▲１▼「浸透作用」体の脂質分を溶かして皮膚細胞内に次々と侵入していく力をもっていること。
▲２▼「界面活性作用」皮膚細胞をはじめ、血管であろうと神経繊維や内蔵細胞であろうと次々に細胞膜を溶かし、細胞内のたんぱく質を変性させてしまう。
▲３▼「残留性、非分解性」いつまでも体内に分解されぬまま、次第に蓄積して縦横無尽に体内を駆け巡る。
また合成洗剤に含まれるリン、つまりトリポリリン塩酸という成分も問題なのである。このリンが湖水などに流れ込むと、毒性プランクトンを含むアオコが大量に発生し、湖水の無酸素化が進み、水中生物が絶滅の危機に陥ってしまう。
合成界面活性剤は、洗濯用合成洗剤に使用されている他、台所の洗剤、シャンプー・リンスなどにも用いられている。
これらの合成界面活性剤の最大の問題点は、残留性や非分解性の物質であることである。だから使用済みの水を下水や川、湖沼や海に蓄積されてしまうのである。本来川水や土壌には自然のバクテリアや天然の酵素が豊富に存在し、自然状態を回復する力を持っているのであるが、合成界面活性剤はそれらを全て殺してしまうのである。従って、合成界面活性剤を使用し続けると、河川も土壌も全ての生物が死滅した死の地球へと向かっていくのである。人類が合成界面活性剤を使い始めて約３０年になる。今ならまだ間に合うかも知れない。
本発明はかかる課題を解消するために開発したものであり、せめて合成洗剤の領域だけでも、合成界面活性剤の使用を一切排除し、１００％天然素材を用いて自然に優しい洗剤を提供しようとするものである。
【課題を解決するための手段】
【０００４】  上記目的を達成するために、本発明における天然洗剤及びその製造法は、次のような構成としている。
【請求項１】
沸石焼成粉末体１、１を４０〜８０％の範囲で、天然カルシュウム焼成粉末体２、２を１０〜６０％の範囲で、薬王石焼成粉末体３、３を３〜１０％の範囲で混成すると共に、通水性を有する通水性袋体５に封入する。
【請求項２】
ふすま粉末体４、４を混成したものである請求項１記載の天然洗剤。
【請求項３】
【０００５】  天然洗剤の製造方法は、次のような製造工程である。
（イ）第一工程
沸石１、１を天日自然乾燥すると共に、２ｍｍ〜４００メッシュに粉状加工し、かつ、６０〜１０００℃に加熱焼成する工程。
（ロ）第二工程
天然カルシュウム２、２を天日自然乾燥すると共に、２ｍｍ〜４００メッシュに粉状加工し、かつ、６０〜１０００℃に加熱焼成する工程。
（ハ）第三工程
薬王石３、３を２ｍｍ〜４００メッシュに粉状加工し、かつ、６０〜１０００℃に加熱焼成する工程。
（ニ）第四工程
第一工程並びに第二工程並びに第三工程で得られた粉末体を、それぞれ４０〜８０％と、１０〜６０％と、３〜１０％の割合で混成し、かつ、通水性を有する通水性袋体５に封入する工程からなる。
【発明の効果】
【０００６】  本発明は上記のとおり構成されているので、次に記載する効果を奏する。
１．本洗剤は、１００％天然素材であり、洗濯後の水や洗剤残留物を下水や土に捨てても、水や土壌を汚染することがなく、地球環境にやさしい洗剤である。
２．沸石１、１は、ガス吸着性や陽イオン交換能、抗菌性、防カビ性があり、洗濯物の汚れの分解力や脱臭効果も強い。
３．天然カルシュウム２、２は、特に漂白作用が強く、汚れの分解作用もある。
４．薬王石３、３は、水の粒子をミクロ以下の小さなものにすることができ、洗濯物の汚れの中に水が入り込むので、洗濯物の汚れを落とすことができる。また、水の粒子をミクロ以下の小さなものにすることで、柔軟剤の役割も果たす。
５．沸石１、１、天然カルシュウム２、２、薬王石３、３は、それぞれ焼成処理をしているので、水に徐々に溶けていくことで洗浄力が増し、洗濯物の汚れを十分に落とすことができる。
６．沸石１、１、天然カルシュウム２、２、薬王石３、３を混成することで相乗作用が生じ、良好な洗剤としての効果を発揮する。
７．ふすま粉末体４、４を混成したものにあっては、ふすま粉末体４、４の澱粉質が洗濯物の汚れを落とす働きが昔から有していた。
【発明を実施するための最良の形態】
【０００７】  本発明を実施するための最良の形態について、図面を参照に説明する。
図１は本発明の一実施例で、一部切り欠き斜視図である。
本実施例では、沸石焼成粉末体１、１を４０〜８０％の範囲で、天然カルシュウム焼成粉末体２、２を１０〜６０％の範囲で、薬王石焼成粉末体３、３を３〜１０％の範囲で混成すると共に、通水性を有する通水性袋体５に封入してある。従ってこの通水性袋体５を水と洗濯物を入れた洗濯槽に入れて回転させると、通水性袋体５に入っている洗剤が水に徐々に溶けだして洗濯物の汚れが落ちる。また本洗濯水は下水に流しても全てが天然素材であるから、水や土壌を汚染することはない。
図２は、請求項２記載の実施例で、一部切り欠き斜視図である。
この実施例では請求項１の実施例に加え、ふすま粉末体４、４をプラスしたものである。本実施例ではふすま粉末体４、４の澱粉に汚れを分解する性質を有するのでより洗浄力が増す。
本発明のそれぞれの素材の詳細は次のようなものである。
◎「沸石」
沸石１、１は、組成が長石と似ているため結晶の骨組みの中の溝にか  なりの水分を含んでいて、加熱すると発泡する性質を持っている。沸石１、１  の成分はナトリュウム、カリュウム、カルシュウム、アルミニュウムである。
沸石の結晶水は水分として存在するため、ある温度以下に加熱して脱水してもその構造は壊れず、水分があった箇所はそのまま隙間として残り、吸い取り紙のように再び水やカスを吸着する性質を有する。この無数の小さい穴がいろいろと利用されるのである。まず大きさの異なる混合ガスの分子をふるい分けることができるので空気中の酸素と窒素を分離したり、アンモニア合成の排ガスから水素を取り出すこともできるガス状態分離剤として実用化している。次に吸着性があるため、空気やガスの吸着剤、脱臭剤として悪臭の除去に効果がある。また沸石１、１には陽イオンと交換する性質があることから、カルシュウムイオンやマグネシュウムイオンを含む硬水と共存させると、それを軟水（カルシュウム・マグネシュウムイオンの少ない水）に換えることができる。沸石はこのような成分で構成されているので、人、動植物への影響は皆無であり、天然素材１００％の最も安全性の高い洗剤である。しかも脂肪、たんぱく質の汚れを分解する力が極めて強い。
◎「天然カルシュウム」
天然カルシュウム２、２は、主として各種の貝殻や牛骨などを用い、これらを粉状焼成加工したものである。洗剤としてこの天然カルシュウム２、２を加えると、漂白作用と汚れの分解作用を発揮する。また下水  などに流し捨てても、天然カルシュウム２、２として自然に還っていく。
◎「薬王石」
薬王石３、３は、天然に存在するミネラル質の蓉煌石に木酢液を加え、長時間〃熱エネルギー〃加えて焼結し、セラミック化したものが薬王石３、３である。蓉煌石には２２種類のミネラルを含んでいる。その中イオン化したミネラルは１０種類ある。しかし薬王石３、３にすることによって、２２種類全てのミネラルがイオン化し、エネルギーが高く（活性化する）なる。焼成した薬王石３、３は蓉煌石よりも水に溶解しにくくなり、水の浄化・洗浄力の活性化が図られることになる。薬王石３、３の粒子はミクロ以下になっており、水の粒子をクラスターの小さいものに変化させているので洗濯物の汚れをよく落すことになる。
◎「ふすま粉末体」ふすま粉末体４、４は、その澱粉の中に汚れを落とす性質を昔から有する。
【産業上の利用可能性】
【０００８】  本天然洗剤は、地球環境の水質や土壌汚染を止めるために無くてはならぬものであり、この天然洗剤の優れた洗浄力や、自然への完璧に近い還元力のあることが一般大衆に理解されるならば、全地球上の全世界で普及するに違いない。そのことが地球上の水質汚染、土壌汚染を防ぐ唯一の対策である。本発明が地球環境の汚染を守る救世主になることを、発明者として願って止まない。
【図面の簡単な説明】
【０００９】
【図１】本発明の一実施態様を示す一部切り欠き斜視図である。
【図２】請求項２記載の実施例で、一部切り欠き斜視図である。
【符号の説明】
【００１０】（１）  は  沸石焼成粉末体
（２）  は  天然カルシュウム焼成粉末体
（３）  は  薬王石焼成粉末体
（４）  は  ふすま粉末体
（５）  は  通水性袋体
【図１】
2009024148.tif 000003
【図２】
2009024148.tif 000004